(57)【特許請求の範囲】
【請求項１】
カードが挿入及び排出されるカード挿入排出口と、
前記カード挿入排出口の上方に近接して配置され、かつ、レシートが排出されるレシート排出口と、
前記カード挿入排出口と前記レシート排出口との間に形成された板状部位とを有し、
前記板状部位は、正面視で、前記カード挿入排出口の上辺に沿って左右に延在して形成されている
ことを特徴とする自動取引装置。
【請求項２】
請求項１に記載の自動取引装置において、
前記板状部位は、正面側に、レシート排出口側の左右方向に延在する辺として、直線状に形成された上辺を備えており、かつ、背面側に、レシート排出口側の面として、奥側から手前側に向けて上昇するように形成された傾斜面を備えている
ことを特徴とする自動取引装置。
【請求項３】
請求項２に記載の自動取引装置において、
前記板状部位は、正面側に、カード挿入排出口側の面として、手前側から奥側に向けて下降するように形成された湾曲面を備えている
ことを特徴とする自動取引装置。
【請求項４】
請求項１乃至請求項３のいずれか一項に記載の自動取引装置において、
さらに、前記カード挿入排出口の奥に配置され、前記カードに対して各種情報の読込又は書込を行うカードユニットを有しており、
前記カードユニットは、下面が前記カードに当接するとともに、上面が前記レシートと当接することによって、前記カード及び前記レシートの走行をガイドするガイド部を備えており、
前記ガイド部は、前記カードユニットの前端側の、前記板状部位の奥側に位置する部分に、前方に突出するように形成されており、
前記ガイド部の下面は、湾曲面として形成されており、
前記ガイド部の上面は、手前側から奥側に進むにつれて前記ガイド部の下面から離間するように、傾斜面又は湾曲面として形成されており、
前記板状部位の後端は、前記ガイド部の前端から離間している
ことを特徴とする自動取引装置。
【請求項５】
カードが挿入及び排出されるカード挿入排出口と、
前記カード挿入排出口の上方に近接して配置され、かつ、レシートが排出されるレシート排出口と、
前記カード挿入排出口と前記レシート排出口との間に形成された２つの突起状部位とを有し、
前記２つの突起状部位は、正面視で、前記カード挿入排出口と前記レシート排出口との間の左右の両側部分から内側方向に突出して形成されている
ことを特徴とする自動取引装置。
【請求項６】
請求項５に記載の自動取引装置において、
前記２つの突起状部位は、正面側に、レシート排出口側の左右方向に延在する辺として、直線状に形成された上辺を備えており、かつ、背面側に、レシート排出口側の面として、奥側から手前側に向けて上昇するように形成された傾斜面を備えている
ことを特徴とする自動取引装置。
【請求項７】
請求項６に記載の自動取引装置において、
前記２つの突起状部位は、正面側に、カード挿入排出口側の面として、手前側から奥側に向けて下降するように形成された湾曲面を備えている
ことを特徴とする自動取引装置。
【請求項８】
請求項５乃至請求項７のいずれか一項に記載の自動取引装置において、
前記２つの突起状部位同士の間は、前記カード挿入排出口と前記レシート排出口とが連通する開口部となっており、
前記開口部は、上側から下側に進むにつれて広がっている
ことを特徴とする自動取引装置。
【請求項９】
請求項５乃至請求項８のいずれか一項に記載の自動取引装置において、
さらに、前記カード挿入排出口の奥に配置され、前記カードに対して各種情報の読込又は書込を行うカードユニットを有しており、
前記カードユニットは、下面が前記カードに当接するとともに、上面が前記レシートと当接することによって、前記カード及び前記レシートの走行をガイドするガイド部を備えており、
前記ガイド部は、前記カードユニットの前端側の、前記２つの突起状部位の奥側に位置する部分に、前方に突出するように形成されており、
前記ガイド部の下面は、湾曲面として形成されており、
前記ガイド部の上面は、手前側から奥側に進むにつれて前記ガイド部の下面から離間するように、傾斜面又は湾曲面として形成されており、
前記２つの突起状部位の後端は、前記ガイド部の前端から離間している
ことを特徴とする自動取引装置。
【請求項１０】
請求項１乃至請求項９のいずれか一項に記載の自動取引装置において、
前記カード挿入排出口は、手前側から奥側に向けて延在して形成されており、かつ、その下面が平坦面状に形成されている
ことを特徴とする自動取引装置。
【請求項１１】
請求項１乃至請求項９のいずれか一項に記載の自動取引装置において、
前記カード挿入排出口は、手前側から奥側に向けて延在して形成されており、かつ、その下面が奥側から手前側に向けて下側に開口する湾曲面状に形成されている
ことを特徴とする自動取引装置。
【請求項１２】
カードが挿入及び排出されるカード挿入排出口と、
前記カード挿入排出口の上方に近接して配置され、かつ、レシートが排出されるレシート排出口と、
前記レシート排出口の上方の壁面に形成され、かつ、前記レシート排出口を利用者から隠すカバー部とを有し、
前記カバー部は、前記カード挿入排出口を利用者から隠さずに、前記レシート排出口を利用者から隠すように、前記壁面から前方に延在して形成されている
ことを特徴とする自動取引装置。
【発明の詳細な説明】
【技術分野】
【０００１】
本発明は、カードが挿入及び排出されるカード挿入排出口とレシートが排出されるレシート排出口とを有する自動取引装置に関する。
【背景技術】
【０００２】
従来、利用者の操作に応じて自動的に取引を実行する自動取引装置が、様々な場所で利用されている。この種の自動取引装置としては、例えば、金融機関や流通機関で用いられているＡＴＭ（Ａｕｔｏｍａｔｉｃ  Ｔｅｌｌｅｒ  Ｍａｃｈｉｎｅ：現金自動預け払い機）や、交通機関や流通機関で用いられている発券機等がある（例えば、特許文献１参照）。自動取引装置の多くは、カードが挿入及び排出されるカード挿入排出口を有しており、利用者によって所持されたカードを装置の内部に取り込み、カードから各種の情報を読み取ったり、又は、各種の情報をカードに書き込んだりする構成になっている。
【０００３】
また、自動取引装置の中には、カード又はレシートの取り忘れを防止するために、カードとレシートとを同じ位置で一括して排出する装置がある。この自動取引装置は、カード挿入排出口とレシート排出口とが連通して一体に形成されている。レシート排出口は、レシートが排出される開口部である。
【先行技術文献】
【特許文献】
【０００４】
【特許文献１】特開２０１４−９２９０１号公報
【発明の概要】
【発明が解決しようとする課題】
【０００５】
しかしながら、カード挿入排出口とレシート排出口とが連通して一体に形成されている自動取引装置においては、カード挿入排出口とレシート排出口とが単一の大きな開口部として開口された構成になるため、カードの挿入時に、利用者がカードをレシート排出口に誤挿入させる（つまり、利用者がカードをレシート排出口に押し込もうとする）場合がある、という課題があった。
【０００６】
本発明は、前記した課題を解決するためになされたものであり、カードのレシート排出口への誤挿入を防止する自動取引装置を提供することを主な目的とする。
【課題を解決するための手段】
【０００７】
前記目的を達成するため、第１発明は、自動取引装置であって、カードが挿入及び排出されるカード挿入排出口と、前記カード挿入排出口の上方に近接して配置され、かつ、レシートが排出されるレシート排出口と、前記カード挿入排出口と前記レシート排出口との間に形成された板状部位とを有し、前記板状部位は、正面視で、前記カード挿入排出口の上辺に沿って左右に延在して形成されている構成とする。
また、第２発明は、自動取引装置であって、自動取引装置であって、カードが挿入及び排出されるカード挿入排出口と、前記カード挿入排出口の上方に近接して配置され、かつ、レシートが排出されるレシート排出口と、前記カード挿入排出口と前記レシート排出口との間に形成された２つの突起状部位とを有し、前記２つの突起状部位は、前記カード挿入排出口と前記レシート排出口との間の左右の両側部分から内側方向に突出して形成されている構成とする。
また、第３発明は、自動取引装置であって、カードが挿入及び排出されるカード挿入排出口と、前記カード挿入排出口の上方に近接して配置され、かつ、レシートが排出されるレシート排出口と、前記レシート排出口の上方の壁面に形成され、かつ、前記レシート排出口を利用者から隠すカバー部とを有し、前記カバー部は、前記カード挿入排出口を利用者から隠さずに、前記レシート排出口を利用者から隠すように、前記壁面から前方に延在して形成されている構成とする。
【０００８】
第１発明に係る自動取引装置は、カードの挿入時に、板状部位がカードのレシート排出口への誤挿入を遮るため、カードのレシート排出口への誤挿入を防止することができる。
また、第２発明に係る自動取引装置は、カードの挿入時に、２つの突起状部位がカードのレシート排出口への誤挿入を遮るため、カードのレシート排出口への誤挿入を防止することができる。
また、第３発明に係る自動取引装置は、カードの挿入時に、カバー部がレシート排出口を利用者から隠すため、カードのレシート排出口への誤挿入を防止することができる。
【発明の効果】
【０００９】
本発明によれば、カードのレシート排出口への誤挿入が防止される自動取引装置を提供することができる。
【図面の簡単な説明】
【００１０】
【図１】実施形態１に係る自動取引装置の全体構成を示す斜視図である。
【図２】実施形態１に係るカード挿入排出口の構成を示す正面図である。
【図３】実施形態１に係るカード挿入排出口の構成を示す断面図である。
【図４】実施形態２に係るカード挿入排出口の構成を示す正面図である。
【図５】実施形態２に係るカード挿入排出口の構成を示す断面図である。
【図６】実施形態３に係るカード挿入排出口の構成を示す正面図である。
【図７】実施形態３に係るカード挿入排出口の構成を示す断面図である。
【図８】実施形態４に係るカード挿入排出口の構成を示す正面図である。
【図９】実施形態４に係るカード挿入排出口の構成を示す断面図である。
【図１０】比較例に係るカード挿入排出口の構成を示す正面図である。
【発明を実施するための形態】
【００１１】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１２】
［実施形態１］
＜自動取引装置の構成＞
以下、図１〜図３を参照して、本実施形態１に係る自動取引装置の構成につき説明する。図１は、本実施形態１に係る自動取引装置の全体構成を示す図である。図２は、本実施形態１に係るカード挿入排出口の構成を示す正面図である。図３は、本実施形態１に係るカード挿入排出口の構成を示す断面図である。
【００１３】
（自動取引装置の全体構成）
本実施形態に係る自動取引装置１は、利用者の操作に応じて自動的に取引を実行する装置である。ここでは、自動取引装置１が、例えば、金融機関や流通機関で用いられているＡＴＭ（Ａｕｔｏｍａｔｉｃ  Ｔｅｌｌｅｒ  Ｍａｃｈｉｎｅ：現金自動預け払い機）として構成されている場合を想定して説明する。
【００１４】
図１に示すように、自動取引装置１は、媒体取扱部２、表示操作部３、テンキー４、紙幣入出金部５、及び、ハンドセット７を有している。
媒体取扱部２は、カードやレシート等の各種媒体を取り扱う部位である。
表示操作部３は、各種情報を表示するとともに、利用者による操作を受け付ける部位である。
テンキー４は、０〜９の番号キーや、エンタキー、取消キー等である。
紙幣入出金部５は、紙幣が投入及び排出される部位である。
ハンドセット７は、遠隔地にいる行員等と会話するための受話器である。
【００１５】
媒体取扱部２には、カード挿入排出口２１とレシート排出口２２とが設けられている。
カード挿入排出口２１は、カードが挿入及び排出される開口部である。
レシート排出口２２は、取引履歴等が印字されたレシートが排出される開口部である。
【００１６】
カード挿入排出口２１及びレシート排出口２２は、それぞれ、横幅方向が左右方向（水平方向）と一致した状態で、手前側（前方）から奥側（後方）に延在するように形成されている。カード挿入排出口２１の縦幅及び横幅は、それぞれ、カード１０（図３参照）の厚さ及び横幅よりも若干（数ｍｍ程度）広くなっている。一方、レシート排出口２２の縦幅及び横幅は、それぞれ、レシート１１（図３参照）の厚さ及び横幅よりも若干（数ｍｍ程度）広くなっている。
【００１７】
レシート排出口２２は、カード挿入排出口２１の上方に、例えば１（ｃｍ）以内に近接して配置されている。また、カード挿入排出口２１及びレシート排出口２２は、ともに、自動取引装置１の正面側の媒体取扱部２用に設けられたエリア（後記する開口部１ｂ（図３参照））内に設けられている。
【００１８】
（自動取引装置のカード挿入排出口の構成）
図２に示すように、カード挿入排出口２１とレシート排出口２２との間には、仕切り部２３が設けられている。仕切り部２３は、カード挿入排出口２１とレシート排出口２２との間を仕切るために形成された板状部位である。仕切り部２３は、カード挿入排出口２１とレシート排出口２２との間を全域に亘って仕切るように形成されている。
【００１９】
図３に示すように、仕切り部２３の奥側（後方）には、後記するカードユニット８のガイド部１２が配置されている。図３は、図２に示す線Ｘ１−Ｘ１に沿って媒体取扱部２を切断した切断面の形状を示している。ガイド部１２は、媒体取扱部２の搬送経路をカード１０の搬送経路とレシート１１の搬送経路とに分離している。仕切り部２３は、カード挿入排出口２１とレシート排出口２２との間を仕切ることによって、カード１０のレシート排出口２２（すなわち、レシート１１の搬送経路）への誤挿入を遮る誤挿入防止部として機能している。
【００２０】
仕切り部２３は、正面側に、正面方向視で、ともに左右方向（水平方向）に直線状に形成された上辺１２３ａと下辺１２３ｂとを備えている（図２及び図３参照）。上辺１２３ａ及び下辺１２３ｂは、ともに左右方向（水平方向）に延在して設けられている。
【００２１】
仕切り部２３は、正面側に、側面方向視で、手前側（前方）から奥側（後方）に向けて下降するように形成された湾曲面２６（図３参照）を備えている。
また、仕切り部２３は、背面側に、側面方向視で、奥側（後方）から手前側（前方）に向けて上昇するように形成された傾斜面２７（図３参照）を備えている。
【００２２】
仕切り部２３の湾曲面２６は、カード１０を受け入れ易い形状にすることによって、カード１０の挿入時に、カード１０の迎え部として機能させて、カード１０をカード挿入排出口２１に効率よく案内（誘導）するために、設けられたものである。
また、仕切り部２３の傾斜面２７は、以下の効果を得るために、設けられたものである。すなわち、一般に、レシート１１は、厚さが薄く、また、剛性が低いため、排出時に、撓んでしまい、横幅方向の中央部付近が垂れ下がった状態になり易い。レシート１１は、この状態で排出されると、折れ曲がったり、又は、レシート排出口２２の内部で詰まったりする可能性がある。そこで、自動取引装置１は、レシート１１の排出時に、レシート１１の下面を傾斜面２７に当接させることによって、レシート１１の撓みを矯正して、レシート１１を平坦な状態に戻し、その状態でレシート排出口２２に排出するようにしている。これにより、自動取引装置１は、レシート１１を平坦な状態でレシート排出口２２から排出することができ、もって、レシート１１の折れ曲がりやレシート排出口２２の内部でのレシート１１の詰まりを回避することができる。
【００２３】
カード挿入排出口２１の周囲には、カード抜取用穴２４が設けられている（図２及び図３参照）。カード抜取用穴２４は、カード１０がカード挿入排出口２１の奥側で移動不能に停止した場合に、指等を入れて、外部からカード１０を抜き取るために形成された穴（溝を含む）である。
【００２４】
係る構成において、自動取引装置１は、カード挿入排出口２１とレシート排出口２２と仕切り部２３とカード抜取用穴２４とがプレート部材２０に形成されており、そのプレート部材２０が筺体フレーム１ａ（図３参照）に取り付けられた構成になっている。プレート部材２０は、好ましくは、設計を容易に変更することができるように、例えば、合成樹脂等によって成形されているとよい。
【００２５】
図３に示すように、プレート部材２０は、後端側の部位が平板状に形成されており、前端側の部位が後端側の部位から前方に向けて突出した形状になっている。プレート部材２０の前端側の部位は、筺体フレーム１ａに形成された開口部１ｂの中に嵌り込む形状に形成されている。なお、プレート部材２０の前端側の部位は、正面方向視において、全体形状が矩形状を呈しており、角部分に円弧が形成された形状になっている（図２参照）。
【００２６】
プレート部材２０には、カード挿入排出口２１、レシート排出口２２、及びカード抜取用穴２４が、プレート部材２０の前端側の部位から後端側の部位に貫通するように形成されている。
【００２７】
プレート部材２０の後方には、カードユニット８とレシートユニット９とが配置されている。
カードユニット８は、カード１０に対して各種情報の読取又は書込を行う装置である。
レシートユニット９は、取引履歴等が印字されたレシート１１を発行する装置である。
【００２８】
カードユニット８は、カード１０の搬送経路とプレート部材２０に形成されたカード挿入排出口２１とが一致するように、プレート部材２０の後方に配置されている。一方、レシートユニット９は、カードユニット８の上方に配置されている。
【００２９】
レシートユニット９は、レシート１１の排出時に、レシート１１をカードユニット８のガイド部１２に突き当てるように排出する。本実施形態では、自動取引装置１は、レシート１１の排出とカード１０の排出とを同時に行うことによって、レシート１１をカード１０の上に重ねて排出する構成になっている。
【００３０】
カードユニット８の前端側には、ガイド部１２が設けられている。ガイド部１２は、下面がカード１０に当接するとともに、上面がレシート１１と当接することによって、カード１０及びレシート１１の走行をガイドする部位である。ガイド部１２は、カード１０の挿入時に、カード１０をカード挿入排出口２１に向けて案内（誘導）する。また、ガイド部１２は、レシート１１の排出時に、レシートユニット９によって排出されたレシート１１をレシート排出口２２に向けて案内（誘導）する。
【００３１】
ガイド部１２は、カードユニット８の本体から前方に突出するように形成されている。ガイド部１２の下面は、側面方向視で、湾曲面として形成されている。また、ガイド部１２の上面は、側面方向視で、手前側（前方）から奥側（後方）に進むにつれてガイド部１２の下面から離間するように、傾斜面又は湾曲面として形成されている。
【００３２】
特に、ガイド部１２の下面を湾曲面として形成する理由は、以下に説明するように、悪意ある者によるスキミング装置の取り付けを防止するためである。「スキミング装置」とは、カード１０に格納されている情報を盗み取る装置である。
【００３３】
例えば、過去に、国内及び国外で、悪意ある者がスキミング装置を自動取引装置に取り付ける事件が発生している。そのため、一般に、自動取引装置は、スキミング装置を取り付け難くすることが望まれている。仮に、スキミング装置の取り付けを想定した場合に、平坦面よりも湾曲面の方が不安定な状態（グラつく状態）でしか取り付けることができないため、湾曲面の方がスキミング装置を取り付け難い、と考えられる。そこで、本実施形態１では、自動取引装置１は、ガイド部１２の下面を湾曲面として形成することによって、悪意ある者によるスキミング装置の取り付けを防止している。
【００３４】
なお、本実施形態１では、仕切り部２３の後端は、プレート部材２０の後端から任意の距離ＳＰ分だけ手前側（前方）の位置に設定されている。その位置は、カードユニット８の自動取引装置１への装着時に、仕切り部２３の後端とガイド部１２の前端とを衝突させない位置である。したがって、仕切り部２３の後端は、カードユニット８が自動取引装置１に装着された状態において、ガイド部１２の前端から離間した状態になっている。
【００３５】
仕切り部２３は、後端の位置がプレート部材２０の後端から任意の距離ＳＰ分だけ手前側（前方）の位置に設定されることによって、ガイド部１２を背面側に距離ＳＰ分だけ受け入れ可能な構成になっている。つまり、仕切り部２３は、ガイド部１２がプレート部材２０の内部に距離ＳＰ分だけ進入することができる構成になっている。
【００３６】
このような自動取引装置１は、仕切り部２３とガイド部１２とを別部材として構成している。また、自動取引装置１は、仕切り部２３の奥行きの幅が距離ＳＰ分だけ短くなるように、構成されている。このような構成によっても、自動取引装置１は、悪意ある者によるスキミング装置の仕切り部２３やガイド部１２への取り付けを防止している。
【００３７】
図２及び図３に示すように、本実施形態１では、カード挿入排出口２１の下面がカード置き台２５として形成されている。カード置き台２５は、利用者がカード１０をその上に置き易くなるように、平坦面状に形成された部位である。
【００３８】
自動取引装置１は、カード挿入排出口２１の下面をカード置き台２５として形成することによって、カード１０がカード挿入排出口２１に挿入され易くなるため、これによっても、カード１０がレシート排出口２２に誤挿入されることを効率よく防止することができる。
【００３９】
係る構成において、本実施形態１に係る自動取引装置１は、例えば、図１０に示す比較例に係る自動取引装置１０１と比べた場合に、カード１０がレシート排出口２２に誤挿入されることを防止することができる。図１０は、比較例に係る自動取引装置１０１のカード挿入排出口２１の構成を示す正面図である。
【００４０】
図１０に示すように、比較例に係る自動取引装置１０１は、カード挿入排出口２１とレシート排出口２２とが連通して一体に形成されている装置である。自動取引装置１０１は、カード挿入排出口２１とレシート排出口２２とがプレート部材１２０に形成されており、そのプレート部材１２０が筺体フレーム１ａ（図３参照）に取り付けられた構成になっている。
【００４１】
比較例に係る自動取引装置１０１は、本実施形態１に係る自動取引装置１と異なり、仕切り部２３（図２参照）を有しておらず、カード挿入排出口２１とレシート排出口２２とが連通して一体に形成されている。そのため、自動取引装置１０１は、カード挿入排出口２１とレシート排出口２２とが単一の大きな開口部１２８として開口された構成になっている。
【００４２】
このような自動取引装置１０１は、カード挿入排出口２１とレシート排出口２２とが開口部１２８を介して外部に大きく露出した構成になっている。このような自動取引装置１０１は、レシート排出口２２とカード挿入排出口２１とを間違って利用者に認識させてしまう可能性がある。そのため、利用者がカード１０をレシート排出口２２に誤挿入させる（つまり、利用者がカード１０をレシート排出口２２に押し込もうとする）可能性がある。
【００４３】
これに対して、本実施形態１に係る自動取引装置１は、仕切り部２３によってカード挿入排出口２１とレシート排出口２２との間を仕切る構成になっている。このような自動取引装置１は、レシート排出口２２とカード挿入排出口２１とを間違って利用者に認識させてしまうことがない。そのため、利用者がカード１０をレシート排出口２２に誤挿入させる（つまり、利用者がカード１０をレシート排出口２２に押し込もうとする）ことがない。したがって、自動取引装置１は、カード１０の挿入時に、カード１０がレシート排出口２２に誤挿入されることを防止することができる。
【００４４】
また、自動取引装置１は、カード挿入排出口２１の下面が平坦面状のカード置き台２５として形成されており、カード１０がカード挿入排出口２１に挿入され易くなるため、これによっても、カード１０がレシート排出口２２に誤挿入されることを効率よく防止することができる。
【００４５】
また、自動取引装置１は、カード１０の挿入時に、仕切り部２３の湾曲面２６（図３参照）によって、カード１０をカード挿入排出口２１に効率よく案内（誘導）することができる。
【００４６】
また、自動取引装置１は、レシート１１の排出時に、仕切り部２３の傾斜面２７（図３参照）によって、レシート１１の撓みを矯正して、レシート１１を平坦な状態でレシート排出口２２から排出することができ、もって、レシート１１の折れ曲がりやレシート排出口２２の内部でのレシート１１の詰まりを回避することができる。
【００４７】
以上の通り、本実施形態１に係る自動取引装置１によれば、カード１０のレシート排出口２２への誤挿入を防止することができる。
【００４８】
［実施形態２］
本実施形態２は、カード挿入排出口２１とレシート排出口２２とが連通して一体に形成された構成の自動取引装置において、カード挿入排出口２１とレシート排出口２２との一部を分割した自動取引装置を提供するものである。
【００４９】
以下、図４及び図５を参照して、本実施形態２の構成につき説明する。図４は、本実施形態２に係るカード挿入排出口２１の構成を示す正面図である。図５は、図３と同様に、本実施形態２に係るカード挿入排出口２１の構成を示す断面図である。本実施形態２は、実施形態１と比較すると、仕切り部２３が形成されたプレート部材２０（図２及び図３参照）の代わりに、仕切り部２３Ａａ，２３Ａｂが形成されたプレート部材２０Ａ（図４及び図５参照）を用いている点で相違している。
【００５０】
図４に示すように、本実施形態２では、カード挿入排出口２１とレシート排出口２２との間には、仕切り部２３Ａａ，２３Ａｂが設けられている。仕切り部２３Ａａ，２３Ａｂは、カード挿入排出口２１とレシート排出口２２との間を仕切るために形成された突起状部位である。仕切り部２３Ａａ，２３Ａｂは、カード挿入排出口２１とレシート排出口２２との間を部分的に仕切るように、カード挿入排出口２１とレシート排出口２２との間の左右の両側部分から内側方向に突出して形成されている。仕切り部２３Ａａ，２３Ａｂは、実施形態１に係る仕切り部２３と同様に、誤挿入防止部として機能する。
【００５１】
仕切り部２３Ａａ，２３Ａｂは、正面側に、正面方向視で、左右方向（水平方向）に直線状に形成された上辺１２３ａと、上辺１２３ａから斜め下方向に湾曲して形成された湾曲部２９ａ，２９ｂとを備えている。これにより、仕切り部２３Ａａと仕切り部２３Ａｂとの間は、カード挿入排出口２１とレシート排出口２２とが連通する開口部２８となっている。
【００５２】
開口部２８は、上側から下側に進むにつれて広がる形状になっている。これにより、本実施形態２は、カード１０とレシート１１とを一括して（重ねた状態で同時に）取り易くしている。
【００５３】
仕切り部２３Ａａ，２３Ａｂの間隔（つまり、仕切り部２３Ａａの上辺１２３ａと仕切り部２３Ａｂの上辺１２３ａとの間隔であり、開口部２８の横幅）は、カード１０の横幅よりも狭くなっている。
【００５４】
図５に示すように、仕切り部２３Ａａ，２３Ａｂは、実施形態１に係る仕切り部２３と同様に、正面側に、側面方向視で、手前側（前方）から奥側（後方）に向けて下降するように形成された湾曲面２６を備えている。
また、仕切り部２３Ａａ，２３Ａｂは、実施形態１に係る仕切り部２３と同様に、背面側に、側面方向視で、奥側（後方）から手前側（前方）に向けて上昇するように形成された傾斜面２７を備えている。
【００５５】
係る構成において、本実施形態２は、仕切り部２３Ａａ，２３Ａｂによってカード挿入排出口２１とレシート排出口２２との間を仕切っているため、カード１０の挿入時に、カード１０がレシート排出口２２に誤挿入されることを防止することができる。
【００５６】
なお、仕切り部２３Ａａ，２３Ａｂの間隔は、狭くするほど、レシート１１の撓みを矯正して、レシート１１を平坦な状態でレシート排出口２２から排出することができる。そのため、特に撓み易い材質のレシート１１を使用することが想定される場合は、仕切り部２３Ａａ，２３Ａｂの間隔を比較的狭くするとよい。一方、仕切り部２３Ａａ，２３Ａｂの間隔は、広くするほど、カード１０とレシート１１とを一括して抜き取る際の取り易さが向上する。そのため、余り撓み易くない材質のレシート１１を使用することが想定される場合は、仕切り部２３Ａａ，２３Ａｂの間隔を比較的広くするとよい。したがって、仕切り部２３Ａａ，２３Ａｂの間隔は、好ましくは、これらの点を考慮して、好適な値に調整（設定）するとよい。
【００５７】
以上の通り、本実施形態２によれば、実施形態１と同様に、カード１０のレシート排出口２２への誤挿入を防止することができる。
また、本実施形態２によれば、カード挿入排出口２１とレシート排出口２２との間が開口部２８によって連通しているため、実施形態１に比べて、カード１０とレシート１１とを一括して（重ねた状態で同時に）取り易くすることができる。
【００５８】
［実施形態３］
本実施形態３は、カード挿入排出口２１の下面を湾曲面状のカード受け入れ部２５Ｂとして形成した自動取引装置を提供するものである。
【００５９】
以下、図６及び図７を参照して、本実施形態３の構成につき説明する。図６は、本実施形態３に係るカード挿入排出口２１の構成を示す正面図である。図７は、図３と同様に、本実施形態３に係るカード挿入排出口２１の構成を示す断面図である。本実施形態３は、実施形態２と比較すると、カード挿入排出口２１の下面をカード置き台２５として形成したプレート部材２０Ａ（図４及び図５）の代わりに、カード挿入排出口２１の下面をカード受け入れ部２５Ｂとして形成したプレート部材２０Ｂ（図６及び図７）を用いている点で相違している。
【００６０】
図６及び図７に示すように、本実施形態３では、カード挿入排出口２１の下面がカード受け入れ部２５Ｂとして形成されている。カード受け入れ部２５Ｂは、奥側（後方）から手前側（前方）に向けて下側に開口する湾曲面状に形成された部位である。カード受け入れ部２５Ｂは、利用者に見え易い形状に形成することによって、また、カード１０を受け入れ易い形状にすることによって、カード１０の挿入時に、カード挿入排出口２１の場所を利用者に認識させ易くするとともに、カード１０の迎え部として機能させて、カード１０をカード挿入排出口２１に効率よく案内（誘導）するために、設けられたものである。
【００６１】
本実施形態３は、カード挿入排出口２１の下面がカード受け入れ部２５Ｂとして形成されているため、カード受け入れ部２５Ｂによって、カード挿入排出口２１の場所を利用者に認識させ易くするとともに、カード１０をカード挿入排出口２１に効率よく案内（誘導）することができる。したがって、本実施形態３は、カード１０がレシート排出口２２に誤挿入されることを効率よく防止することができる。
【００６２】
しかも、本実施形態３は、カード挿入排出口２１の下面がカード受け入れ部２５Ｂとして湾曲面状に形成されているため、悪意ある者によってスキミング装置がカード挿入排出口２１に取り付けられることを防止することができる。
【００６３】
以上の通り、本実施形態３によれば、他の実施形態と同様に、カード１０のレシート排出口２２への誤挿入を防止することができる。
また、本実施形態３によれば、実施形態２と同様に、カード挿入排出口２１とレシート排出口２２との間が開口部２８によって連通しているため、実施形態１に比べて、カード１０とレシート１１とを一括して（重ねた状態で同時に）取り易くすることができる。
しかも、本実施形態３によれば、悪意ある者によってスキミング装置がカード挿入排出口２１に取り付けられることを防止することができる。
【００６４】
［実施形態４］
本実施形態４は、レシート排出口２２を利用者から見えないように隠すことによって、カード１０のレシート排出口２２への誤挿入を防止する自動取引装置を提供するものである。
【００６５】
以下、図８及び図９を参照して、本実施形態４の構成につき説明する。図８は、本実施形態４に係るカード挿入排出口２１の構成を示す正面図である。図９は、図３と同様に、本実施形態４に係るカード挿入排出口２１の構成を示す断面図である。本実施形態４は、実施形態１〜３と比較すると、仕切り部２３が形成されたプレート部材２０（図２及び図３参照）及び仕切り部２３Ａａ，２３Ａｂが形成されたプレート部材２０Ａ，２０Ｂ（図４〜図７参照）の代わりに、カバー部３０が形成されたプレート部材２０Ｃ（図８及び図９参照）を用いている点で相違している。
【００６６】
図８及び図９に示すように、本実施形態４では、誤挿入防止部がカバー部３０として形成されている。カバー部３０は、カード挿入排出口２１を外部に露出させた状態で、レシート排出口２２を外部から隠す部位である。本実施形態４では、カバー部３０は、レシート排出口２２を利用者から見えなくなるように、媒体取扱部２のレシート排出口２２の上方に位置する部分をガイド部１２の手前側（前方）の位置にまで延在させた構成になっている。なお、本実施形態４では、実施形態１〜３の仕切り部２３，２３Ａａ，２３Ａｂが設けられていない。
【００６７】
本実施形態４は、カバー部３０がレシート排出口２２を外部から隠すため、カード挿入排出口２１のみを利用者に視認させることができる。そのため、本実施形態４は、カード１０をカード挿入排出口２１に確実に挿入させることができる。また、本実施形態４は、カバー部３０がレシート排出口２２を遮蔽するため、カード１０をレシート排出口２２に入れ難くする。これらの要因により、本実施形態４は、カード１０のレシート排出口２２への誤挿入を防止することができる。
【００６８】
以上の通り、本実施形態４によれば、他の実施形態と同様に、カード１０のレシート排出口２２への誤挿入を防止することができる。
【００６９】
なお、本発明は、前記した実施形態に限定されることなく、本発明の要旨を逸脱しない範囲で種々の変更や変形を行うことができる。
【００７０】
例えば、本発明は、利用者によって所持されているカード１０が挿入される自動取引装置１であれば、金融機関や流通機関で用いられているＡＴＭ（現金自動預け払い機）だけでなく、例えば、交通機関や流通機関で用いられている発券機や、その他の装置に利用することができる。
【００７１】
また、前記した実施形態では、自動取引装置１は、カード挿入排出口２１とレシート排出口２２と仕切り部２３（又は、仕切り部２３Ａａ，２３Ａｂ、又は、カバー部３０）とカード抜取用穴２４とがプレート部材２０（又は、２０Ａ，２０Ｂ，２０Ｃ）に形成された構成になっている。しかしながら、例えば、自動取引装置１は、カード挿入排出口２１とレシート排出口２２と仕切り部２３（又は、仕切り部２３Ａａ，２３Ａｂ、又は、カバー部３０）とカード抜取用穴２４とが筺体フレーム１ａ（図３参照）に形成されることによって、プレート部材２０（又は、２０Ａ，２０Ｂ，２０Ｃ）を排除した構成にすることができる。
【００７２】
また、例えば、前記した実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【符号の説明】
【００７３】
１    自動取引装置（ＡＴＭ）
１ａ    筺体フレーム
１ｂ    開口部
２    媒体取扱部
３    表示操作部
４    テンキー
５    紙幣入出金部
７    ハンドセット
８    カードユニット
９    レシートユニット
１０    カード
１１    レシート
１２    突出部（ガイド部）
２０，２０Ａ，２０Ｂ，２０Ｃ    プレート部材
２１    カード挿入排出口
２２    レシート排出口
２３    誤挿入防止部（仕切り部、板状部位）
２３Ａａ，２３Ａｂ    誤挿入防止部（仕切り部、突起状部位）
２４    カード抜取用穴
２５    平坦面部（カード置き台）
２５Ｂ    湾曲面部（カード受け入れ部）
２６    湾曲面
２７    傾斜面
２８    開口部
２９    円弧部
３０    カバー部
【図１】
0006451145.tif 000002
【図２】
0006451145.tif 000003
【図３】
0006451145.tif 000004
【図４】
0006451145.tif 000005
【図５】
0006451145.tif 000006
【図６】
0006451145.tif 000007
【図７】
0006451145.tif 000008
【図８】
0006451145.tif 000009
【図９】
0006451145.tif 000010
【図１０】
0006451145.tif 000011